(57)【特許請求の範囲】
【請求項１】
相手側接触部を有する相手側コンタクトを備える相手側コネクタと第１方向に沿って嵌合可能なコネクタであって、
ハウジングとコンタクトとを備えており、
前記ハウジングは、保持部と受部とを有しており、
前記コンタクトは、前記保持部に保持される被保持部と、前記コネクタと前記相手側コネクタとの嵌合状態において前記相手側接触部に接触すると共に前記第１方向と直交する第２方向に変位する接点部と、前記接点部が前記相手側接触部に接触する際に前記第２方向において前記受部に押し当てられる被押し当て部とを有しており、
前記被押し当て部は、前記接点部と前記被保持部との間に設けられており、
前記第２方向において、前記接点部は、前記被保持部と前記被押し当て部との間に位置している
コネクタ。
【請求項２】
請求項１記載のコネクタであって、
前記相手側コンタクトは、前記第２方向に変位可能な相手側接点部を更に有しており、
前記相手側接触部は、前記第２方向における移動が規制されており、
前記コンタクトは、前記相手側接点部と接触する接触部を更に有しており、
前記接触部は、前記被押し当て部と前記被保持部との間に設けられており、
前記ハウジングは、前記接触部の前記第２方向における移動を規制する第２方向規制部を有している
コネクタ。
【請求項３】
請求項１又は請求項２記載のコネクタであって、
前記コネクタと前記相手側コネクタとの未嵌合状態においても、前記被押し当て部は前記受部に接触している
コネクタ。
【請求項４】
請求項１乃至請求項３のいずれかに記載のコネクタであって、
前記コンタクトは、前記被押し当て部から延び弾性変形可能なバネ部を有しており、
前記接点部は、前記バネ部に設けられており、
前記バネ部の先端であるコンタクト先端部は、前記第２方向において、前記接点部と前記被押し当て部との間に位置している
コネクタ。
【請求項５】
請求項１乃至請求項４のいずれかに記載のコネクタであって、
前記コネクタは、対象物に搭載され固定されるものであり、
前記コネクタは、前記ハウジングとは別体のベースハウジングを更に備えており、
前記ベースハウジングは、付加的保持部を有しており、
前記コンタクトは、前記対象物に接続固定される被接続部と、前記付加的保持部に保持される付加的被保持部と、少なくとも第１方向と直交する面内において前記被保持部が前記付加的被保持部に対して相対的に変位可能となるように前記被保持部と前記付加的被保持部とを連結するフローティング部とを更に有している
コネクタ。
【請求項６】
請求項５記載のコネクタであって、
前記ハウジングには、前記第１方向及び前記第２方向の双方に直交した第３方向に突出した突出部が設けられており、
前記ベースハウジングには、前記第１方向において前記ハウジングを前記ベースハウジングから離すように移動させた際に前記第１方向において前記突出部を受け止めて前記ハウジングの前記第１方向における移動を規制する第１方向規制部が設けられている
コネクタ。
【請求項７】
請求項６記載のコネクタであって、
前記突出部は、前記第３方向において先端を有しており、
前記第１方向規制部は、前記第１方向に沿って見た場合に前記先端を隠すように配置されている
コネクタ。
【請求項８】
請求項６又は請求項７記載のコネクタであって、
前記突出部は、前記ハウジングの一部として形成されている
コネクタ。
【請求項９】
請求項６乃至請求項８のいずれかに記載のコネクタであって、
前記コネクタは、前記ベースハウジングとは別体であり且つ前記ベースハウジングに組み込まれて前記ベースハウジングを前記対象物に固定するためのホールドダウンを更に備えており、
前記第１方向規制部は前記ホールドダウンの一部として設けられている
コネクタ。
【請求項１０】
請求項９記載のコネクタであって、
前記ホールドダウンを一対有し、一対の前記ホールドダウンの夫々は、前記対象物に固定される少なくとも２つの被固定部を有している
コネクタ。
【請求項１１】
請求項１乃至請求項１０のいずれかに記載のコネクタであって、
前記コンタクトは、一枚の金属板を打ち抜き且つ曲げて形成されるものである
コネクタ。
【発明の詳細な説明】
【技術分野】
【０００１】
本発明は、相手側コネクタとの嵌合状態において相手側コネクタの相手側接触部に対して接触する接点部を有するコネクタに関する。
【背景技術】
【０００２】
図３１に示されるように、特許文献１のコネクタは、コンタクトとそのコンタクトを保持するハウジングとを備えており、相手側コネクタは、相手側コンタクトとその相手側コンタクトを保持する相手側ハウジングとを備えている。コネクタと相手側コネクタとは第１方向に沿って嵌合する。コンタクトは、接点部と、接触部とを有している。接点部は、第１方向と直交する第２方向において変位可能である。接触部は、接点部が第２方向において変位するとき、ハウジングに接触していることから、第２方向において殆ど変位しない。相手側コンタクトは、相手側接点部と、相手側接触部とを有している。相手側接点部は、第２方向に変位可能である。相手側接触部は、相手側接点部が第２方向において変位するとき、相手側ハウジングに接触していることから、第２方向において殆ど変位しない。コネクタと相手側コネクタとの嵌合状態において、接点部は相手側接触部と接触し、相手側接点部は接触部と接触する。即ち、コンタクトと相手側コンタクトは２か所で互いに接触している。
【先行技術文献】
【特許文献】
【０００３】
【特許文献１】特許第４１９００１９号公報
【発明の概要】
【発明が解決しようとする課題】
【０００４】
上述した特許文献１のコネクタや相手側コネクタに対しては、コネクタと相手側コネクタとの嵌合の際に接点部や相手側接点部が任意の部位に対して不要な接触をしてしまうことを避けつつ、接点部や相手側接点部の変位量を多くしたいという要望がある。
【０００５】
本発明は、かかる要望に応えることのできるコネクタを提供することを目的とする。
【課題を解決するための手段】
【０００６】
本発明は、第１のコネクタとして、
相手側接触部を有する相手側コンタクトを備える相手側コネクタと第１方向に沿って嵌合可能なコネクタであって、
ハウジングとコンタクトとを備えており、
前記ハウジングは、保持部と受部とを有しており、
前記コンタクトは、前記保持部に保持される被保持部と、前記コネクタと前記相手側コネクタとの嵌合状態において前記相手側接触部に接触すると共に前記第１方向と直交する第２方向に変位する接点部と、前記接点部が前記相手側接触部に接触する際に前記第２方向において前記受部に押し当てられる被押し当て部とを有しており、
前記被押し当て部は、前記接点部と前記被保持部との間に設けられており、
前記第２方向において、前記接点部は、前記被保持部と前記被押し当て部との間に位置している
コネクタを提供する。
【０００７】
また、本発明は、第２のコネクタとして、第１のコネクタであって、
前記相手側コンタクトは、前記第２方向に変位可能な相手側接点部を更に有しており、
前記相手側接触部は、前記第２方向における移動が規制されており、
前記コンタクトは、前記相手側接点部と接触する接触部を更に有しており、
前記接触部は、前記被押し当て部と前記被保持部との間に設けられており、
前記ハウジングは、前記接触部の前記第２方向における移動を規制する第２方向規制部を有している
コネクタを提供する。
【０００８】
また、本発明は、第３のコネクタとして、第１又は第２のコネクタであって、
前記コネクタと前記相手側コネクタとの未嵌合状態においても、前記被押し当て部は前記受部に接触している
コネクタを提供する。
【０００９】
また、本発明は、第４のコネクタとして、第１乃至第３のいずれかのコネクタであって、
前記コンタクトは、前記被押し当て部から延び弾性変形可能なバネ部を有しており、
前記接点部は、前記バネ部に設けられており、
前記バネ部の先端であるコンタクト先端部は、前記第２方向において、前記接点部と前記被押し当て部との間に位置している
コネクタを提供する。
【００１０】
また、本発明は、第５のコネクタとして、第１乃至第４のいずれかのコネクタであって、
前記コネクタは、対象物に搭載され固定されるものであり、
前記コネクタは、前記ハウジングとは別体のベースハウジングを更に備えており、
前記ベースハウジングは、付加的保持部を有しており、
前記コンタクトは、前記対象物に接続固定される被接続部と、前記付加的保持部に保持される付加的被保持部と、少なくとも第１方向と直交する面内において前記被保持部が前記付加的被保持部に対して相対的に変位可能となるように前記被保持部と前記付加的被保持部とを連結するフローティング部とを更に有している
コネクタを提供する。
【００１１】
また、本発明は、第６のコネクタとして、第５のコネクタであって、
前記ハウジングには、前記第１方向及び前記第２方向の双方に直交した第３方向に突出した突出部が設けられており、
前記ベースハウジングには、前記第１方向において前記ハウジングを前記ベースハウジングから離すように移動させた際に前記第１方向において前記突出部を受け止めて前記ハウジングの前記第１方向における移動を規制する第１方向規制部が設けられている
コネクタを提供する。
【００１２】
また、本発明は、第７のコネクタとして、第６のコネクタであって、
前記突出部は、前記第３方向において先端を有しており、
前記第１方向規制部は、前記第１方向に沿って見た場合に前記先端を隠すように配置されている
コネクタを提供する。
【００１３】
また、本発明は、第８のコネクタとして、第６又は第７のコネクタであって、
前記突出部は、前記ハウジングの一部として形成されている
コネクタを提供する。
【００１４】
また、本発明は、第９のコネクタとして、第６乃至第８のいずれかのコネクタであって、
前記コネクタは、前記ベースハウジングとは別体であり且つ前記ベースハウジングに組み込まれて前記ベースハウジングを前記対象物に固定するためのホールドダウンを更に備えており、
前記第１方向規制部は前記ホールドダウンの一部として設けられている
コネクタを提供する。
【００１５】
また、本発明は、第１０のコネクタとして、第９のコネクタであって、
前記ホールドダウンを一対有し、一対の前記ホールドダウンの夫々は、前記対象物に固定される少なくとも２つの被固定部を有している
コネクタを提供する。
【００１６】
また、本発明は、第１１のコネクタとして、第１乃至第１０のいずれかのコネクタであって、
前記コンタクトは、一枚の金属板を打ち抜き且つ曲げて形成されるものである
コネクタを提供する。
【発明の効果】
【００１７】
本発明によれば、コネクタと相手側コネクタとの嵌合方向である第１方向と直交する第２方向において、コンタクトの接点部を被保持部と被押し当て部との間に位置させたことから、嵌合に際して接点部が任意の部位に対して不要な接触をしてしまうことを避けつつ、接点部の変位量を多くとることができる。
【図面の簡単な説明】
【００１８】
【図１】本発明の第１の実施の形態によるレセプタクルコネクタを示す上面斜視図である。
【図２】図１のレセプタクルコネクタを示す底面斜視図である。
【図３】図１のレセプタクルコネクタを示す上面図である。
【図４】図３のレセプタクルコネクタをIV--IV線に沿って示す断面図である。
【図５】図３のレセプタクルコネクタをV--V線に沿って示す断面図である。
【図６】図１のレセプタクルコネクタを示す分解斜視図である。コンタクトは省略されている。
【図７】図３のレセプタクルコネクタの一部を示す拡大上面図である。
【図８】図２のレセプタクルコネクタの一部を拡大して示す拡大斜視図である。
【図９】本発明の第１の実施の形態によるプラグコネクタを示す上面斜視図である。
【図１０】図９のプラグコネクタを示す底面斜視図である。
【図１１】図９のプラグコネクタを示す上面図である。
【図１２】図９のプラグコネクタを示す側面図である。
【図１３】図１２のプラグコネクタをXIII--XIII線に沿って示す断面図である。
【図１４】図１１のプラグコネクタの一部を示す拡大上面図である。
【図１５】図１のレセプタクルコネクタと図９のプラグコネクタを示す斜視図である。レセプタクルコネクタとプラグコネクタは未嵌合状態にある。
【図１６】図１のレセプタクルコネクタと図９のプラグコネクタを示す斜視図である。レセプタクルコネクタとプラグコネクタは嵌合状態にある。
【図１７】図１６のレセプタクルコネクタとプラグコネクタを示す側面図である。レセプタクルコネクタとプラグコネクタは嵌合状態にある。
【図１８】図１７のレセプタクルコネクタとプラグコネクタをXVIII--XVIII線に沿って示す断面図である。レセプタクルコネクタとプラグコネクタは嵌合状態にある。
【図１９】本発明の第２の実施の形態によるプラグコネクタを示す上面斜視図である。
【図２０】図１９のプラグコネクタを示す底面斜視図である。
【図２１】図１９のプラグコネクタを示す正面図である。
【図２２】図１９のプラグコネクタを示す上面図である。
【図２３】図１９のプラグコネクタを示す底面図である。
【図２４】図２１のプラグコネクタをXXIV--XXIV線に沿って示す断面図である。
【図２５】図２１のプラグコネクタの一部を示す拡大正面図である。
【図２６】図２３のプラグコネクタの一部を示す拡大底面図である。
【図２７】図１のレセプタクルコネクタと図１９のプラグコネクタを示す斜視図である。レセプタクルコネクタとプラグコネクタは未嵌合状態にある。
【図２８】１のレセプタクルコネクタと図１９のプラグコネクタを示す斜視図である。レセプタクルコネクタとプラグコネクタは嵌合状態にある。
【図２９】図２８のレセプタクルコネクタとプラグコネクタを示す側面図である。レセプタクルコネクタとプラグコネクタは嵌合状態にある。
【図３０】図２９のレセプタクルコネクタとプラグコネクタをXXX--XXX線に沿って示す断面図である。レセプタクルコネクタとプラグコネクタは嵌合状態にある。
【図３１】特許文献１のコネクタと相手側コネクタとを示す断面図である。
【発明を実施するための形態】
【００１９】
（第１の実施の形態）
図１乃至図５を参照すると、本発明の第１の実施の形態によるコネクタは、フローティング構造を有するレセプタクルコネクタ１００である。また、図９乃至図１３を参照すると本実施の形態による相手側コネクタは、プラグコネクタ３００である。図１に示されるように、レセプタクルコネクタ１００は、Ｚ方向（第１方向）に開口した受容部１０２を有している。一方、図９に示されるように、プラグコネクタ３００は、嵌合部３０２を有している。図１５乃至図１８に示されるように、受容部１０２に対して嵌合部３０２を挿入することにより、プラグコネクタ３００とレセプタクルコネクタ１００とはＺ方向（第１方向）に沿って互いに嵌合可能である。以下、レセプタクルコネクタ１００及びプラグコネクタ３００の夫々についてプラグコネクタ３００及びレセプタクルコネクタ１００との嵌合端側を上側として説明する。即ち、レセプタクルコネクタ１００に関しては＋Ｚ側を上側として説明し、プラグコネクタ３００に関しては−Ｚ側を上側として説明する。
【００２０】
図１乃至図６に示されるように、レセプタクルコネクタ（コネクタ）１００は、絶縁体からなる可動ハウジング（ハウジング）１１０と、可動ハウジング１１０とは別体の絶縁体からなるベースハウジング１３０と、金属製の複数のコンタクト１５０と、金属製の２つのホールドダウン１８０とを備えている。
【００２１】
図４及び図６に示されるように、可動ハウジング１１０は、上部１１２と、下部１１４とを有している。本実施の形態において、ＸＹ平面内における上部１１２の外形は下部１１４の外形よりも大きい。
【００２２】
図３、図４、図７及び図８に示されるように、可動ハウジング１１０の下部１１４には、保持部１１６と第２方向規制部１１８とが形成されている。保持部１１６は、２つのグループに分けられている。各グループに属する保持部１１６は、Ｙ方向（第３方向：ピッチ方向）に並べられている。即ち、保持部１１６は、２列に並べられている。保持部１１６は、コンタクト１５０の一部（後述）を保持している。第２方向規制部１１８は、Ｘ方向（第２方向）において、保持部１１６の外側に位置しており、保持部１１６に保持されたコンタクト１５０の一部（後述）がＸ方向の外側に移動するのを規制している。本実施の形態において、保持部１１６のＸ方向の外側の壁面は、第２方向規制部１１８のＸ方向の内側に向いた面と繋がっている。
【００２３】
図１、図４及び図６に示されるように、可動ハウジング１１０の上部１１２は、略角筒状の形状を有しており、２つの上側外周壁１２０を備えている。これら上側外周壁１２０は、Ｘ方向において互いに離間配置されている。各上側外周壁１２０には、コンタクト１５０の一部（後述）が押し当てられる受部１２２が形成されている。また、各上側外周壁１２０の上端（＋Ｚ側端部）近傍にはコンタクト１５０の先端（後述）を保護するための先端保護部１２４が設けられている。
【００２４】
図３及び図６を参照すると、可動ハウジング１１０には、Ｚ方向に延びる２つのガイド溝１２６が形成されている。ガイド溝１２６は、上側外周壁１２０のＹ方向の両端近傍に位置している。
【００２５】
図６に示されるように、可動ハウジング１１０の下部１１４には、Ｙ方向に突出した突出部１２８が設けられている。本実施の形態において、突出部１２８は、可動ハウジング１１０の一部として形成されている。即ち、突出部１２８は、可動ハウジング１１０の下部１１４と一体形成されている。但し、本発明は、これに限定されるわけではない。突出部１２８は、可動ハウジング１１０とは別体の部品で構成され、且つ、下部１１４に対してＹ方向に突出するように固定されていてもよい。
【００２６】
図６に最もよく示されるように、ベースハウジング１３０は、２つの側壁部１３２と、２つの端部ブロック１３４とを有している。側壁部１３２は、Ｘ方向において互いに離間配置されている。端部ブロック１３４は、側壁部１３２のＹ方向の両端に位置している。図４及び図６から理解されるように、側壁部１３２と端部ブロック１３４とで囲まれた空間１３６は、可動ハウジング１１０の下部１１４を受容している。
【００２７】
図４及び図６に示されるように、ベースハウジング１３０の側壁部１３２の下部（−Ｚ側端部）近傍には、コンタクト１５０の一部（後述）を保持する付加的保持部１３８が形成されている。付加的保持部１３８も保持部１１６と同様に２つのグループに分けられており、各グループの付加的保持部１３８はＹ方向に並ぶように形成されている。
【００２８】
図５及び図６に示されるように、ベースハウジング１３０の端部ブロック１３４には、凹部１４０が形成されている。凹部１４０は、Ｙ方向外側に向かって延びていると共に−Ｚ方向（下方）に凹んでいる。図４乃至図６から理解されるように、可動ハウジング１１０の下部１１４がベースハウジング１３０の空間１３６内に受容されるとき、突出部１２８は凹部１４０内に受容される。図５から明らかなように、ＸＺ平面内において、突出部１２８のサイズは、凹部１４０のサイズよりもかなり小さい。また、Ｙ方向における突出部１２８のサイズは、凹部１４０のサイズよりも小さい。従って、突出部１２８は、凹部１４０内において、ある程度の回転移動やＹ方向への平行移動などが可能となっている。
【００２９】
図１乃至図５に示されるように、ホールドダウン１８０は、ベースハウジング１３０の端部ブロック１３４に夫々取り付けられている。各ホールドダウン１８０は、２つの被固定部１８４を有している。レセプタクルコネクタ１００が基板（対象物：図示せず）に搭載固定される際に、被固定部１８４はその基板（図示せず）に半田等により固定される。即ち、ベースハウジング１３０は、４つの被固定部１８４により基板（図示せず）に固定される。被固定部１８４が四角形の頂点上に位置するように配置されていることから、ベースハウジング１３０に対してＸＹ平面内において回転するような力が加えられた場合であっても、ベースハウジング１３０が基板（図示せず）から外れてしまうことを低減することができる。なお、被固定部１８４はＸ方向に２つ突出形成されているが、更にＹ方向にも突出形成して計３つの被固定部１８４を形成してもよい。
【００３０】
図１、図３、図５及び図６に示されるように、ホールドダウン１８０には、連結面部（第１方向規制部）１８２が設けられている。連結面部１８２は、２つの被固定部１８４を連結する部位の一部として設けられており、ＸＹ平面と平行な面を有している。
【００３１】
図５に示されるように、連結面部１８２は、凹部１４０上に亘るように設けられている。そのため、突出部１２８のＺ方向（第１方向）に沿った移動、特に＋Ｚ側（上側）に向かう移動は、連結面部１８２によって規制されている。このように、本実施の形態による第１方向規制部（連結面部１８２）は、ホールドダウン１８０の一部として形成されていたが、本発明はこれに限定されるものではない。例えば、第１方向規制部は、ベースハウジング１３０と一体に形成されていてもよい。また、ベースハウジング１３０及びホールドダウン１８０の双方と別体の部材で構成され且つ突出部１２８のＺ方向における移動を規制するようにベースハウジング１３０に固定されていてもよい。
【００３２】
更に、図３と図６を比較すれば理解されるように、連結面部１８２をＺ方向において＋Ｚ側（上側）から見た場合に、突出部１２８の先端１２９は連結面部１８２によって隠されている。このため、突出部１２８が＋Ｚ側（上側）に移動した場合に、突出部１２８を連結面部１８２によって受け止めることができることから、確実に移動を規制することができる。詳しくは、例えば金属板の縁部（エッジ）で第１方向規制部を構成することも可能であるが、その場合、突出部１２８がＹ方向に変位したりすると、突出部１２８が第１方向規制部から外れてしまい所望の移動規制を行えない可能性もあるのに対して、本実施の形態のように、突出部１２８を面で受けることとすると、突出部１２８がＹ方向に移動した場合であってもＺ方向への移動を確実に規制することができる。なお、本実施の形態による連結面部１８２は、ＸＹ平面と平行な平面であったが、本発明はこれに限定されるものではなく、例えば、曲面等により構成されていても同様の効果を得ることができる。
【００３３】
図４に最もよく示されるように、コンタクト１５０は、被保持部１５２と、接触部１５４と、支持部１５６と、被押し当て部１５８と、バネ部１６０と、付加的被保持部１７０と、フローティング部１７２と、被接続部１７４とを有している。本実施の形態によるコンタクト１５０は、一枚の金属板を打ち抜き且つ曲げて形成されたものである。
【００３４】
図４、図７及び図８に示されるように、被保持部１５２は、可動ハウジング１１０の保持部１１６に保持されている。これにより、本実施の形態によるコンタクト１５０は２列に並べられている。接触部１５４は、被保持部１５２からＺ方向に沿って＋Ｚ側（上方）に向かって延びている。この接触部１５４のＸ方向の外側には、前述したように、第２方向規制部１１８が位置していることから、接触部１５４は、第２方向規制部１１８を越えてＸ方向の外側に変形してしまうことがない。支持部１５６は、接触部１５４の上端からＺ方向及びＸ方向と斜交する方向に延びており、被押し当て部１５８を支持している。
【００３５】
図４及び図７に示されるように、被押し当て部１５８は、Ｘ方向において、可動ハウジング１１０の受部１２２の内側に位置している。本実施の形態において、被押し当て部１５８は、レセプタクルコネクタ１００がプラグコネクタ３００と未嵌合の状態であっても、受部１２２に接触しているように設けられている。但し、本発明はこれに限定されるわけではなく、被押し当て部１５８は、レセプタクルコネクタ１００がプラグコネクタ３００と嵌合するときだけ、受部１２２に押し付けられるように構成されていてもよい。
【００３６】
図４に示されるように、バネ部１６０は、被押し当て部１５８から延びる部位であり、Ｘ方向の内側に向かって突出した接点部１６２を有している。換言すると、被押し当て部１５８は、接点部１６２を有するバネ部１６０と被保持部１５２との間に設けられている。バネ部１６０の先端、即ち、コンタクト先端部１６４の＋Ｚ側（上方）には上述した先端保護部１２４が位置している。このように、本実施の形態においては、コンタクト先端部１６４は先端保護部１２４により保護されている。従って、コンタクト先端部１６４に何らかの物体が直接突き当たることによりコンタクト１５０が座屈してしまうような事態を避けることができる。
【００３７】
図４に示されるように、接点部１６２に対してＸ方向の外側に向かう力が加えられると、被押し当て部１５８もＸ方向の外側に向かう力を受けるが、被押し当て部１５８は受部１２２に押し当てられてＸ方向における移動を制限されるので、バネ部１６０が主として変形することとなる。このため、バネ部１６０は、十分なバネ力を安定して得ることができ、接点部１６２による接触信頼性を高めることができる。特に、本実施の形態においては、被押し当て部１５８が平面形状を有しており、受部１２２に対して面で押し当てられることから、バネ部１６０の変形の起点が更に安定している。
【００３８】
図４及び図７に示されるように、接点部１６２は、Ｘ方向において、被押し当て部１５８よりも内側に位置している。また、接点部１６２は、Ｘ方向において、被保持部１５２や接触部１５４よりも外側に位置している。即ち、接点部１６２は、Ｘ方向において、被保持部１５２や接触部１５４と被押し当て部１５８との間に位置している。接点部１６２がＸ方向において被押し当て部１５８の内側に位置していることにより、接点部１６２はＸ方向において十分な変位量を確保することができる。一方、接点部１６２がＸ方向において被保持部１５２や接触部１５４よりも外側に位置していることにより、レセプタクルコネクタ１００とプラグコネクタ３００との嵌合の際に接点部１６２がプラグコネクタ３００に対して不要に接触してしまうといった事態を低減することができる。
【００３９】
図４に示されるように、付加的被保持部１７０は、ベースハウジング１３０の付加的保持部１３８に保持されている。フローティング部１７２は、Ｓ字状又はＺ字状を有するように曲げ形成されており、付加的被保持部１７０と被保持部１５２とを連結している。このフローティング部１７２による連結のため、被保持部１５２は、ＸＹ平面内において付加的被保持部１７０に対して相対的に変位可能となっている。このため、被保持部１５２を保持する可動ハウジング１１０は、ＸＹ平面内において付加的被保持部１７０を保持するベースハウジング１３０に対して、相対的に変位可能となっている。即ち、レセプタクルコネクタ１００は、フローティング構造を有している。フローティング部１７２は、このフローティング構造を実現可能な形状であれば、蛇行形状等の他の形状であっても構わない。また、本実施の形態による被保持部１５２は、Ｚ方向においても付加的被保持部１７０に対して相対的に変位可能となっており、同様に、可動ハウジング１１０はＺ方向においてもベースハウジング１３０に対して相対的に変位可能となっているが、Ｚ方向における相対変位は規制されていてもよい。
【００４０】
被接続部１７４は、付加的被保持部１７０からフローティング部１７２とは反対側に延びている。被接続部１７４は、レセプタクルコネクタ１００が基板（図示せず）に搭載固定される際に、その基板（図示せず）に半田等により固定される。
【００４１】
図９乃至図１３に示されるように、プラグコネクタ（相手側コネクタ）３００は、絶縁体からなるプラグハウジング（相手側ハウジング）３１０と、金属製の複数のコンタクト（相手側コンタクト）３３０と、金属製の２つのホールドダウン３８０とを備えている。このプラグコネクタ３００は、相手側基板（対象物：図示せず）に搭載固定されるものである。詳しくは、図示されたプラグコネクタ３００は、レセプタクルコネクタ１００との嵌合方向（Ｚ方向：第１方向）が相手側基板（図示せず）と直交する方向であるストレートタイプのものである。
【００４２】
図９、図１０及び図１３に示されるように、プラグハウジング３１０は、嵌合部３０２を実質的に構成する挿入端部３１２と、相手側基板（図示せず）側に位置することとなる基部３１４とを有している。ＸＹ平面内における基部３１４の外形は挿入端部３１２の外形よりも大きい。
【００４３】
図１３に最もよく示されるように、挿入端部３１２と基部３１４との境界部分近傍には、保持部３１６が形成されている。保持部３１６は、２つのグループに分けられている。各グループに属する保持部３１６は、Ｙ方向（第３方向：ピッチ方向）に並べられている。即ち、保持部３１６は、２列に並べられている。保持部３１６は、コンタクト３３０の一部（後述）を保持している。
【００４４】
挿入端部３１２内には、Ｘ方向（第２方向）の中央においてＺＹ平面に沿って延びる中央壁部３１８が形成されており、更に、この中央壁部３１８の各面上に受部３２０が形成されている。また、中央壁部３１８の−Ｚ側端部（上端）を挟むようにしてコンタクト３３０の先端（後述）を保護するための先端保護部３２２が設けられている。加えて、保持部３１６のＸ方向の内側には、第２方向規制部３２４が設けられている。即ち、第２方向規制部３２４は、保持部３１６と中央壁部３１８の間に位置している。第２方向規制部３２４は、保持部３１６に保持されたコンタクト３３０の一部（後述）がＸ方向の内側に移動するのを規制している。本実施の形態において、保持部３１６のＸ方向の内側の壁面は、第２方向規制部３２４のＸ方向の外側に向いた面と繋がっている。
【００４５】
図９乃至図１２を参照すると、挿入端部３１２のＹ方向の両端には、被ガイド部３２６が設けられている。被ガイド部３２６は、プラグコネクタ３００の中で最も−Ｚ側（上側）に突出した部位である。即ち、被ガイド部３２６は、プラグコネクタ３００の嵌合部３０２をレセプタクルコネクタ１００の受容部１０２に受容させる際に、受容部１０２内に最初に入り込む部位である。詳しくは、被ガイド部３２６は、プラグコネクタ３００の嵌合部３０２をレセプタクルコネクタ１００の受容部１０２に受容させる際に、受容部１０２内においてＹ方向の両端に位置するガイド溝１２６にガイドされる。
【００４６】
図１３に示されるように、基部３１４の＋Ｚ側端部（下端）近傍には、コンタクト３３０の一部（後述）を保持する基板側保持部３２８が形成されている。基板側保持部３２８も保持部３１６と同様に２つのグループに分けられており、各グループの基板側保持部３２８はＹ方向に並ぶように形成されている（図１０参照）。
【００４７】
図９乃至図１２に示されるように、基部３１４は、Ｙ方向の両端において、挿入端部３１２よりも張り出しており、それら基部３１４の張り出した部位には、夫々、ホールドダウン３８０が取り付けられている。このホールドダウン３８０は、プラグコネクタ３００が相手側基板（図示せず）に搭載固定される際に、その相手側基板（図示せず）に半田等により固定される。
【００４８】
図１３に最もよく示されるように、コンタクト（相手側コンタクト）３３０は、被保持部３３２と、接触部（相手側接触部）３３４と、支持部３３６と、被押し当て部３３８と、バネ部３４０と、基板側被保持部３５０と、連結部３５２と、被接続部３５６とを有している。本実施の形態によるコンタクト３３０は、一枚の金属板を打ち抜き且つ曲げて形成されたものである。
【００４９】
図１３及び図１４に示されるように、被保持部３３２は、プラグハウジング３１０の保持部３１６に保持されている。これにより、本実施の形態によるコンタクト３３０は、２列に並べられている。接触部３３４は、被保持部３３２からＺ方向に沿って−Ｚ側（上方）に向かって延びている。接触部３３４のＸ方向の内側には、前述したように、第２方向規制部３２４が位置していることから、接触部３３４は、第２方向規制部３２４を越えてＸ方向の内側に変形してしまうことがない。支持部３３６は、接触部３３４の上端からＺ方向及びＸ方向と斜交する方向に延びており、被押し当て部３３８を支持している。
【００５０】
被押し当て部３３８は、Ｘ方向において、プラグハウジング３１０の受部３２０の外側に位置している。本実施の形態において、被押し当て部３３８は、プラグコネクタ３００とレセプタクルコネクタ１００が未嵌合の状態であっても、受部３２０に接触しているように設けられている。但し、本発明はこれに限定されるわけではなく、被押し当て部３３８は、プラグコネクタ３００とレセプタクルコネクタ１００が嵌合するときだけ、受部３２０に押し付けられるように構成されていてもよい。
【００５１】
図１３に示されるように、バネ部３４０は、被押し当て部３３８から延びる部位であり、Ｘ方向の外側に向かって突出した接点部３４２を有している。換言すると、被押し当て部３３８は、接点部３４２を有するバネ部３４０と被保持部３３２との間に設けられている。バネ部３４０の先端、即ち、コンタクト先端部３４４の−Ｚ側（上方）には上述した先端保護部３２２が位置している。このように、本実施の形態においては、コンタクト先端部３４４は先端保護部３２２により保護されている。従って、コンタクト先端部３４４に何らかの物体が直接突き当たることによりコンタクト３３０が座屈してしまうような事態を避けることができる。
【００５２】
図１３に示されるように、接点部３４２に対してＸ方向の内側に向かう力が加えられると、被押し当て部３３８もＸ方向の内側に向かう力を受けるが、被押し当て部３３８は受部３２０に押し当てられてＸ方向における移動を制限されるので、バネ部３４０が主として変形することとなる。このため、バネ部３４０は、十分なバネ力を安定して得ることができ、接点部３４２による接触信頼性を高めることができる。特に、本実施の形態においては、被押し当て部３３８が平面形状を有しており、受部３２０に対して面で押し当てられることから、バネ部３４０の変形の起点が更に安定している。
【００５３】
図１３及び図１４に示されるように、接点部３４２は、Ｘ方向において、被押し当て部３３８よりも外側に位置している。また、接点部３４２は、Ｘ方向において、被保持部３３２や接触部３３４よりも内側に位置している。即ち、接点部３４２は、Ｘ方向において、被保持部３３２や接触部３３４と被押し当て部３３８との間に位置している。接点部３４２がＸ方向において被押し当て部３３８の外側に位置していることにより、接点部３４２はＸ方向において十分な変位量を確保することができる。一方、接点部３４２がＸ方向において被保持部３３２や接触部３３４よりも内側に位置していることにより、レセプタクルコネクタ１００とプラグコネクタ３００との嵌合の際に接点部３４２がレセプタクルコネクタ１００に対して不要に接触してしまうといった事態を低減することができる。
【００５４】
図１３に示されるように、基板側被保持部３５０は、プラグハウジング３１０の基板側保持部３２８に保持されている。連結部３５２は、基板側被保持部３５０と被保持部３３２とを連結している。被接続部３５６は、基板側被保持部３５０から延びている。被接続部３５６は、プラグコネクタ３００が相手側基板（図示せず）に搭載固定される際に、その相手側基板（図示せず）に半田等により固定される。
【００５５】
図１５乃至図１８に示されるように、プラグコネクタ３００とレセプタクルコネクタ１００との嵌合の際には、まず被ガイド部３２６とガイド溝１２６とによって嵌合部３０２と受容部１０２との位置決めが行われる。この際、レセプタクルコネクタ１００はフローティング構造を有していることから、可動ハウジング１１０がＸＹ平面内において変位する。その状態においてプラグコネクタ３００をレセプタクルコネクタ１００に対して押し込むと、嵌合部３０２が受容部１０２に適切に受容され、コンタクト１５０に対してコンタクト（相手側コンタクト）３３０が接続される。詳しくは、図１８に示されるように、接点部１６２が接触部（相手側接触部）３３４に接触し、接点部（相手側接点部）３４２が接触部１５４に接触する。即ち、コンタクト１５０とコンタクト（相手側コンタクト）３３０とは互いに２点で接触している。コンタクト１５０とコンタクト（相手側コンタクト）３３０とが２点で接触しているとき、それらの２点の間のＺ方向における距離が長くなることから、嵌合部３０２は受容部１０２に対して深く挿入されていなければならない。一般的にフローティング構造を有するコネクタは相手側コネクタをこじる（ＸＹ平面内において回転させる）と外れてしまう可能性があるが、本実施の形態のように嵌合部３０２が受容部１０２に対して深く挿入されておりコンタクト１５０とコンタクト（相手側コンタクト）３３０とが２点で接触している場合には、こじりに強く外れにくいといった利点がある。即ち、２点接点構造をフローティングコネクタ（レセプタクルコネクタ１００）に適用すると、こじりに強く外れにくい構成とすることができる。
【００５６】
本実施の形態においては、嵌合部３０２の受容部１０２への受容に伴うコンタクト１５０とコンタクト３３０との接続に際して、接点部１６２は被保持部１５２や接触部１５４よりもＸ方向において外側に位置していることから接触部（相手側接触部）３３４と当たってしまうことがない（図４及び図１８参照）。同様に、接点部（相手側接点部）３４２は被保持部３３２や接触部（相手側接触部）３３４よりもＸ方向において内側に位置していることから接触部１５４と当たってしまうことがない（図１３及び図１８参照）。
【００５７】
（第２の実施の形態）
図１９乃至図２４を参照すると、本発明の第２の実施の形態によるプラグコネクタ５００は、相手側基板（対象物：図示せず）に搭載固定されるものであるが、嵌合方向（Ｚ方向）と相手側基板（図示せず）とが平行であるライトアングルタイプのものである。このプラグコネクタ５００は、図２７乃至図３０に示されるように、上述した第１の実施の形態によるレセプタクルコネクタ１００と嵌合可能なものである。即ち、プラグコネクタ５００のインタフェースである嵌合部５０２は、上述した第１の実施の形態によるプラグコネクタ３００のインタフェースである嵌合部３０２とほぼ同様の構造を有しており、レセプタクルコネクタ１００の受容部１０２に受容されるものである。以下においては、主としてプラグコネクタ５００について説明する。また、プラグコネクタ５００に関しては、相手側基板（図示せず）に搭載される側（−Ｘ側）を下側とし、更に、嵌合端側（−Ｚ側）を前側として説明する。
【００５８】
図１９乃至図２４に示されるように、プラグコネクタ（相手側コネクタ）５００は、絶縁体からなるプラグハウジング（相手側ハウジング）５１０と、金属製の複数のコンタクト（相手側コンタクト）５３０と、金属製の２つのホールドダウン５８０とを備えている。図２４に示されるように、コンタクト５３０は、形状的には２種類あるが、嵌合部５０２に含まれる部位の形状はほぼ同じであり、また他の部位についても機能的に同一視できることから、以下においては、両者を区別することなく説明することとする。
【００５９】
図１９乃至図２３に示されるように、プラグハウジング５１０は、嵌合部５０２を実質的に構成する挿入端部５１２と、相手側基板（図示せず）側に位置することとなる基部５１４とを有している。
【００６０】
図２４に最もよく示されるように、挿入端部５１２の＋Ｚ側（後側）には、保持部５１６が形成されている。保持部５１６は、２つのグループに分けられている。各グループに属する保持部５１６は、Ｙ方向（第３方向：ピッチ方向）に並べられている。即ち、保持部５１６は、２列に並べられている。保持部５１６は、コンタクト５３０の一部（後述）を保持している。
【００６１】
挿入端部５１２内には、Ｘ方向（第２方向）の中央においてＺＹ平面に沿って延びる中央壁部５１８が形成されており、更に、この中央壁部５１８の各面上に受部５２０が形成されている。また、中央壁部５１８の−Ｚ側端部（前端）を挟むようにしてコンタクト５３０の先端（後述）を保護するための先端保護部５２２が設けられている。加えて、保持部５１６のＸ方向の内側には、第２方向規制部５２４が設けられている。即ち、第２方向規制部５２４は、保持部５１６と中央壁部５１８の間に位置している。第２方向規制部５２４は、保持部５１６に保持されたコンタクト５３０の一部（後述）がＸ方向の内側に移動するのを規制している。本実施の形態において、保持部５１６のＸ方向の内側の壁面は、第２方向規制部５２４のＸ方向の外側に向いた面と繋がっている。
【００６２】
図１９乃至図２３を参照すると、挿入端部５１２のＹ方向の両端には、被ガイド部５２６が設けられている。被ガイド部５２６は、プラグコネクタ５００の中で最も−Ｚ側（前側）に突出した部位である。即ち、被ガイド部５２６は、プラグコネクタ５００の嵌合部５０２をレセプタクルコネクタ１００の受容部１０２に受容させる際に、受容部１０２内に最初に入り込む部位である。詳しくは、被ガイド部５２６は、プラグコネクタ５００の嵌合部５０２をレセプタクルコネクタ１００の受容部１０２に受容させる際に、受容部１０２内においてＹ方向の両端に位置するガイド溝１２６にガイドされる。
【００６３】
図２４に示されるように、基部５１４の−Ｘ側端部（下端）近傍には、コンタクト５３０の一部（後述）を保持する基板側保持部５２８が形成されている。基板側保持部５２８も保持部５１６と同様に２つのグループに分けられており、各グループの基板側保持部５２８はＹ方向に並ぶように形成されている。
【００６４】
図１９乃至図２３並びに図２６に示されるように、基部５１４は、Ｙ方向の両端において、挿入端部５１２よりも張り出しており、それら基部５１４の張り出した部位には、夫々、ホールドダウン５８０が取り付けられている。このホールドダウン５８０は、プラグコネクタ５００が相手側基板（図示せず）に搭載固定される際に、その相手側基板（図示せず）に半田等により固定される。
【００６５】
図２４に最もよく示されるように、コンタクト（相手側コンタクト）５３０は、被保持部５３２と、接触部（相手側接触部）５３４と、支持部５３６と、被押し当て部５３８と、バネ部５４０と、基板側被保持部５５０と、連結部５５２と、被接続部５５６とを有している。本実施の形態によるコンタクト５３０は、一枚の金属板を打ち抜き且つ曲げて形成されたものである。
【００６６】
図２４及び図２５に示されるように、被保持部５３２は、プラグハウジング５１０の保持部５１６に保持されている。これにより、本実施の形態によるコンタクト５３０は、２列に並べられている。接触部５３４は、被保持部５３２からＺ方向に沿って−Ｚ側（前方）に向かって延びている。接触部５３４のＸ方向の内側には、前述したように、第２方向規制部５２４が位置していることから、接触部５３４は、第２方向規制部５２４を越えてＸ方向の内側に変形してしまうことがない。支持部５３６は、接触部５３４の前端からＺ方向及びＸ方向と斜交する方向に延びており、被押し当て部５３８を支持している。
【００６７】
被押し当て部５３８は、Ｘ方向において、プラグハウジング５１０の受部５２０の外側に位置している。本実施の形態において、被押し当て部５３８は、プラグコネクタ５００とレセプタクルコネクタ１００が未嵌合の状態であっても、受部５２０に接触しているように設けられている。但し、本発明はこれに限定されるわけではなく、被押し当て部５３８は、プラグコネクタ５００とレセプタクルコネクタ１００が嵌合するときだけ、受部５２０に押し付けられるように構成されていてもよい。
【００６８】
図２４に示されるように、バネ部５４０は、被押し当て部５３８から延びる部位であり、Ｘ方向の外側に向かって突出した接点部５４２を有している。換言すると、被押し当て部５３８は、接点部５４２を有するバネ部５４０と被保持部５３２との間に設けられている。バネ部５４０の先端、即ち、コンタクト先端部５４４の−Ｚ側（前方）には上述した先端保護部５２２が位置している。このように、本実施の形態においては、コンタクト先端部５４４は先端保護部５２２により保護されている。従って、コンタクト先端部５４４に何らかの物体が直接突き当たることによりコンタクト５３０が座屈してしまうような事態を避けることができる。
【００６９】
図２４に示されるように、接点部５４２に対してＸ方向の内側に向かう力が加えられると、被押し当て部５３８もＸ方向の内側に向かう力を受けるが、被押し当て部５３８は受部５２０に押し当てられてＸ方向における移動を制限されるので、バネ部５４０が主として変形することとなる。このため、バネ部５４０は、十分なバネ力を安定して得ることができ、接点部５４２による接触信頼性を高めることができる。特に、本実施の形態においては、被押し当て部５３８が平面形状を有しており、受部５２０に対して面で押し当てられることから、バネ部５４０の変形の起点が更に安定している。
【００７０】
図２４及び図２５に示されるように、接点部５４２は、Ｘ方向において、被押し当て部５３８よりも外側に位置している。また、接点部５４２は、Ｘ方向において、被保持部５３２や接触部５３４よりも内側に位置している。即ち、接点部５４２は、Ｘ方向において、被保持部５３２や接触部５３４と被押し当て部５３８との間に位置している。接点部５４２がＸ方向において被押し当て部５３８の外側に位置していることにより、接点部５４２はＸ方向において十分な変位量を確保することができる。一方、接点部５４２がＸ方向において被保持部５３２や接触部５３４よりも内側に位置していることにより、レセプタクルコネクタ１００とプラグコネクタ５００との嵌合の際に接点部５４２がレセプタクルコネクタ１００に対して不要に接触してしまうといった事態を低減することができる。
【００７１】
図２４に示されるように、基板側被保持部５５０は、プラグハウジング５１０の基板側保持部５２８に保持されている。連結部５５２は、基板側被保持部５５０と被保持部５３２とを連結している。被接続部５５６は、基板側被保持部５５０から延びている。被接続部５５６は、プラグコネクタ５００が相手側基板（図示せず）に搭載固定される際に、その相手側基板（図示せず）に半田等により固定される。
【００７２】
図２７乃至図３０に示されるように、プラグコネクタ５００とレセプタクルコネクタ１００との嵌合の際には、まず被ガイド部５２６とガイド溝１２６とによって嵌合部５０２と受容部１０２との位置決めが行われる。この際、レセプタクルコネクタ１００はフローティング構造を有していることから、可動ハウジング１１０がＸＹ平面内において変位する。その状態においてプラグコネクタ５００をレセプタクルコネクタ１００に対して押し込むと、嵌合部５０２が受容部１０２に適切に受容され、コンタクト１５０に対してコンタクト（相手側コンタクト）５３０が接続される。詳しくは、図３０に示されるように、接点部１６２が接触部（相手側接触部）５３４に接触し、接点部（相手側接点部）５４２が接触部１５４に接触する。即ち、コンタクト１５０とコンタクト（相手側コンタクト）５３０とは互いに２点で接触している。従って、本実施の形態によるプラグコネクタ５００とレセプタクルコネクタ１００との嵌合に関しても、第１の実施の形態の場合と同様に、こじりに強く外れにくいといった特徴がある。
【００７３】
本実施の形態においては、嵌合部５０２の受容部１０２への受容に伴うコンタクト１５０とコンタクト５３０との接続に際して、接点部１６２は被保持部１５２や接触部１５４よりもＸ方向において外側に位置していることから接触部（相手側接触部）５３４と当たってしまうことがない（図４及び図３０参照）。同様に、接点部（相手側接点部）５４２は被保持部５３２や接触部（相手側接触部）５３４よりもＸ方向において内側に位置していることから接触部１５４と当たってしまうことがない（図２４及び図３０参照）。
【００７４】
以上、本発明のコネクタ及び相手側コネクタについて具体的に説明してきたが、本発明はこれらに限定されるものではなく、種々の変形等が可能である。
【００７５】
また、上述した実施の形態においては、レセプタクルコネクタ１００をコネクタとし、プラグコネクタ３００やプラグコネクタ５００を相手側コネクタとして説明してきたが、コンタクト１５０のうち被保持部１５２からコンタクト先端部１６４までの部位と可動ハウジング１１０との関係は、コンタクト３３０の被保持部３３２からコンタクト先端部３４４までの部位とプラグハウジング３１０との関係やコンタクト５３０の被保持部５３２からコンタクト先端部５４４までの部位とプラグハウジング５１０との関係と構造的・効果的側面において同一視できる。従って、これらに関しては、プラグコネクタ３００やプラグコネクタ５００をコネクタととらえ、レセプタクルコネクタ１００を相手側コネクタとしてとらえることとしてもよい。
【符号の説明】
【００７６】
１００        レセプタクルコネクタ（コネクタ）
１０２        受容部
１１０        可動ハウジング（ハウジング）
１１２        上部
１１４        下部
１１６        保持部
１１８        第２方向規制部
１２０        上側外周壁
１２２        受部
１２４        先端保護部
１２６        ガイド溝
１２８        突出部
１２９        先端
１３０        ベースハウジング
１３２        側壁部
１３４        端部ブロック
１３６        空間
１３８        付加的保持部
１４０        凹部
１５０        コンタクト
１５２        被保持部
１５４        接触部
１５６        支持部
１５８        被押し当て部
１６０        バネ部
１６２        接点部
１６４        コンタクト先端部
１７０        付加的被保持部
１７２        フローティング部
１７４        被接続部
１８０        ホールドダウン
１８２        連結面部（第１方向規制部）
１８４        被固定部
３００        プラグコネクタ（相手側コネクタ）
３０２        嵌合部
３１０        プラグハウジング（相手側ハウジング）
３１２        挿入端部
３１４        基部
３１６        保持部
３１８        中央壁部
３２０        受部
３２２        先端保護部
３２４        第２方向規制部
３２６        被ガイド部
３２８        基板側保持部
３３０        コンタクト（相手側コンタクト）
３３２        被保持部
３３４        接触部（相手側接触部）
３３６        支持部
３３８        被押し当て部
３４０        バネ部
３４２        接点部（相手側接点部）
３４４        コンタクト先端部
３５０        基板側被保持部
３５２        連結部
３５６        被接続部
３８０        ホールドダウン
５００        プラグコネクタ（相手側コネクタ）
５０２        嵌合部
５１０        プラグハウジング（相手側ハウジング）
５１２        挿入端部
５１４        基部
５１６        保持部
５１８        中央壁部
５２０        受部
５２２        先端保護部
５２４        第２方向規制部
５２６        被ガイド部
５２８        基板側保持部
５３０        コンタクト（相手側コンタクト）
５３２        被保持部
５３４        接触部（相手側接触部）
５３６        支持部
５３８        被押し当て部
５４０        バネ部
５４２        接点部（相手側接点部）
５４４        コンタクト先端部
５５０        基板側被保持部
５５２        連結部
５５６        被接続部
５８０        ホールドダウン
【要約】      （修正有）【課題】コネクタと相手側コネクタの嵌合の際に接点部や相手側接点部が任意の部位に対して不要な接触をしてしまうことを避けつつ、接点部や相手側接点部の変位量を多くすることのできるコネクタを提供すること。【解決手段】コンタクトは、可動ハウジング１１０の保持部１１６に保持される被保持部１５２と、レセプタクルコネクタ１００とプラグコネクタとの嵌合状態において相手側接触部に接触すると共に嵌合方向（Ｚ方向）と直交するＸ方向に変位する接点部１６２と、接点部１６２が相手側接触部に接触する際にＸ方向において可動ハウジング１１０の受部１２２に押し当てられる被押し当て部１５８とを有している。被押し当て部１５８は、接点部１６２と被保持部１５２との間に設けられており、Ｘ方向において、接点部１６２は、被保持部１５２と被押し当て部１５８との間に位置している。【選択図】図４【図１】
0005499191.tif 000002
【図２】
0005499191.tif 000003
【図３】
0005499191.tif 000004
【図４】
0005499191.tif 000005
【図５】
0005499191.tif 000006
【図６】
0005499191.tif 000007
【図７】
0005499191.tif 000008
【図８】
0005499191.tif 000009
【図９】
0005499191.tif 000010
【図１０】
0005499191.tif 000011
【図１１】
0005499191.tif 000012
【図１２】
0005499191.tif 000013
【図１３】
0005499191.tif 000014
【図１４】
0005499191.tif 000015
【図１５】
0005499191.tif 000016
【図１６】
0005499191.tif 000017
【図１７】
0005499191.tif 000018
【図１８】
0005499191.tif 000019
【図１９】
0005499191.tif 000020
【図２０】
0005499191.tif 000021
【図２１】
0005499191.tif 000022
【図２２】
0005499191.tif 000023
【図２３】
0005499191.tif 000024
【図２４】
0005499191.tif 000025
【図２５】
0005499191.tif 000026
【図２６】
0005499191.tif 000027
【図２７】
0005499191.tif 000028
【図２８】
0005499191.tif 000029
【図２９】
0005499191.tif 000030
【図３０】
0005499191.tif 000031
【図３１】
0005499191.tif 000032